(57)【特許請求の範囲】
【請求項１】
表示装置に表示される複数のデータの内容を記憶するデータ記憶手段と、
前記複数のデータの参照関係を示す参照関係情報を記憶する参照関係記憶手段と、
前記データ記憶手段に記憶され他のデータによって参照されている参照先データに対する更新要求が入力されたとき、前記参照関係情報を参照して前記参照先データを参照している参照元データを検出し、前記参照先データおよび前記参照元データを更新するデータ更新手段と、
前記参照先データおよび前記参照元データそれぞれの更新前のデータ内容を記憶する更新ログ記憶手段と、
前記参照先データおよび前記参照元データそれぞれについて更新前の内容と更新後の内容を前記表示装置に交互に表示させる表示指示手段とを具備することを特徴とする情報表示装置。
【請求項２】
表示装置に表示される複数のデータの内容を記憶するデータ記憶手段と、
前記複数のデータの参照関係を示す参照関係情報を記憶する参照関係記憶手段と、
前記データ記憶手段に記憶され他のデータによって参照されている参照先データに対する更新要求が入力されたとき、前記参照関係情報を参照して前記参照先データを参照している参照元データを検出し、前記参照先データおよび前記参照元データを更新するデータ更新手段と、
前記データ更新手段によってデータ更新が行われる度に前記参照先データおよび前記参照元データそれぞれについての更新前のデータ内容を記録する更新データ集合ログ記憶手段と、
利用者からの過去の任意の更新Ｎに対する表示要求に応じて、前記更新ログ記憶手段より現在から前記更新Ｎまでの更新データ集合とそれを構成するデータそれぞれの更新前のデータ内容を読出し、更新Ｎ＋１までの更新前のデータ内容を表示すると共に、前記更新Ｎのデータ集合を強調表示する手段とを具備することを特徴とする情報表示装置。
【請求項３】
表示装置に表示される複数のデータの内容を記憶するデータ記憶手段と、
前記複数のデータの参照関係を示す参照関係情報を記憶する参照関係記憶手段と、
前記データ記憶手段に記憶され他のデータによって参照されている参照先データに対する更新要求が入力されたとき、前記参照関係情報を参照して前記参照先データを参照している参照元データを検出し、前記参照先データおよび前記参照元データを更新するデータ更新手段と、
前記データ記憶手段に記憶されている１つ以上のデータからデータグループを構成し、そのデータグループを１つの記号または１つの代表データで前記表示装置に表示させる手段と、
前記データ記憶手段に記憶されている参照先データが前記更新手段によって更新されたとき、その参照先データを参照している参照元データが属するデータグループに対応する記号または代表データを前記表示装置に強調表示させる表示指示手段とを具備することを特徴とする情報表示装置。
【請求項４】
前記表示指示手段は、前記記号または代表データが強調表示されているデータグループに属するデータそれぞれを前記表示装置に表示させるメンバ表示手段を含み、
このメンバ表示手段は、前記データグループに属するデータの中で前記参照先データを参照している参照元データとそれ以外のデータとを区別して前記表示装置に表示することを特徴とする請求項３記載の情報表示装置。
【発明の詳細な説明】
【０００１】
【発明の属する技術分野】
この発明は情報表示装置および情報表示方法に関し、特に参照関係を持った複数のデータを表示する情報表示装置および情報表示方法に関する。
【０００２】
【従来の技術】
従来から、参照関係を持った複数のデータの表示を行うものの一つとしてスプレッドシートがある。スプレッドシートの表示例を図１８に示す。一般的なスプレッドシートでは、ワークシートとよばれる縦横の線で区切られたマス目で構成される表上でデータの操作を行う。個々のマス目はセルと呼ばれ、セル上では数値や文字といった実際のデータの記録・操作を行うことができる。セルには他のセルの数値データを元に計算した結果を表示することができる。
【０００３】
例えば、図１８においては、セルＢ８はセルＢ２〜Ｂ６の和、セルＣ８はセルＣ２〜Ｃ６の和、セルＤ８はセルＢ８とセルＣ８の差を表示する。これらのセルは計算の元となるセルの値が変更された場合には自動的に再計算され、その結果を表示する。以降では、Ｂ８，Ｃ８，Ｄ８の様に他のデータを参照するデータを参照元データ、Ｂ２〜Ｂ６のように他のデータによって参照されるデータを参照先データと呼ぶ。
【０００４】
スプレッドシートではこのように参照関係をもった複数のデータを表示することができる。また、これら複数のデータの参照関係を調べる場合には、
１）参照元データの数式を調べる
２）参照元データ上で特定の操作をすることにより、参照先データ集合を反転させる等の強調表示を行う
といった操作が行われる。
【０００５】
しかし、あるデータが変化したことに伴って、他のデータが変化した場合、それらの変更はユーザに通知されることなく行われるため、他のデータの変化を認識しづらいという問題点があった。また、スプレッドシートでは、ワークシート中の表示されていない部分に参照元データがある場合、その参照先データが更新されてもユーザには参照元データの変化に起こったことが分からないという問題点があった。
【０００６】
また、携帯端末等にて通信回線等から受信した情報をスプレッドシートを使用して表示する場合には、受信したデータ更新情報に従って、指定されたデータおよびそれに関係するデータが更新されて表示される。例えば、通信回線から受けたデータにより、図１８のセルＣ５の値が更新される場合、セルＣ５を参照先とするセルＣ８，Ｄ８が参照元データとして更新される。この場合、携帯端末を使用するユーザがセルＣ５のデータ更新を行うのではなく、外部からの通信によりデータが更新されるため、ユーザはそれらの更新を認識するのがさらに困難になるという問題点がある。
【０００７】
【発明が解決しようとする課題】
上述したように、従来では、参照関係を持った複数のデータを表示する場合、あるデータが更新されたことによる他のデータの更新を認識するのが困難であるという問題点があった。特に、携帯端末など、ユーザ自身の操作ではなく、外部から受けたデータによって自動的に関連データの更新がなされる場合には、どのデータについて、何時、どのようなデータ変更がなされたのかを認識するのは困難であった。
【０００８】
この発明はこのような点に鑑みてなされたもので、あるデータが更新されることによって他のデータが更新される場合、そのデータ更新の発生をユーザに明示的に提示できるようにし、ユーザがデータ更新を容易に認識することができる情報表示装置を提供することを目的とする。
【０００９】
【課題を解決するための手段】
この発明は、表示装置に表示される複数のデータの内容を記憶するデータ記憶手段と、前記複数のデータの参照関係を示す参照関係情報を記憶する参照関係記憶手段と、前記データ記憶手段に記憶され他のデータによって参照されている参照先データに対する更新要求が入力されたとき、前記参照関係情報を参照して前記参照先データを参照している参照元データを検出し、前記参照先データおよび前記参照元データを更新するデータ更新手段と、前記参照先データおよび前記参照元データそれぞれの更新前のデータ内容を記憶する更新ログ記憶手段と、前記参照先データおよび前記参照元データそれぞれについて更新前の内容と更新後の内容を前記表示装置に交互に表示させる表示指示手段とを具備することを特徴とする。
【００１０】
この情報表示装置においては、参照先データが更新されたことにより、参照元データが更新される時点で、それら参照先データおよび参照元データそれぞれについてその更新前の内容と更新後の内容が交互に表示される。したがって、例えば携帯端末など、ユーザ自身の操作ではなく、外部から受けたデータによって自動的に参照先データが更新され、その更新に伴って参照元データの更新がなされる場合でも、それらデータについて、何時、どのようなデータ変更がなされたのかをユーザに知らせることが可能となると共に、参照先データおよび参照元データそれぞれについて更新前と更新後の双方のデータ内容をユーザに知らせることが可能になる。
【００１４】
また、この発明の情報表示装置は、更新データ集合ログ記憶手段に、データ更新手段によってデータ更新が行われる度に前記参照先データおよび前記参照元データそれぞれについて更新前のデータ内容を記録しておき、利用者からの過去の任意の更新Ｎに対する表示要求に応じて、前記更新データ集合ログ記憶手段より現在から前記更新Ｎまでの更新データ集合とそれを構成するデータそれぞれの更新前のデータ内容を読出し、更新Ｎ＋１までの更新前のデータ内容を表示すると共に、前記更新Ｎのデータ集合を強調表示する手段とを具備することを特徴とする。これにより、ユーザは過去の任意の更新Ｎについて、その更新Ｎが行われた直後の表示状態と、その更新Ｎで更新されたデータ集合を容易に知ることができる。
【００１５】
また、データの全てが画面表示されない場合には、データ記憶手段に記憶されている１以上のデータからデータグループを構成し、そのデータグループを１つの記号または１つの代表データで前記表示装置に表示させる手段と、前記データ記憶手段に記憶されている参照先データが前記更新手段によって更新されたとき、その参照先データを参照している参照元データが属するデータグループに対応する記号または代表データを前記表示装置に強調表示させる表示指示手段とを設けることが好ましい。これにより、表示されてないデータが存在する場合でも、それらデータをデータグループによって表示する事ができ、データ更新が行われた場合もデータグループの記号（例えばアイコンなど）が強調表示されるため、ユーザは参照元データの更新を容易に認識することができる。
【００１６】
また、表示指示手段は、強調表示指示を行った後、一定時間経過後か、ユーザからの強調表示解除指示かあるいは新たな更新要求により、通常の表示に戻すように構成することが好ましい。
【００１７】
【発明の実施の形態】
以下、図面を参照してこの発明の実施形態を説明する。
図１には、この発明の第１の実施形態に係る情報表示装置が示されている。この情報表示装置１１は例えば携帯型電子情報機器などの計算機に適用されるものであり、参照関係を持つ複数のデータを表示装置１３に画面表示し、他のデータから参照されている参照先データの更新に伴ってそのデータを参照している参照元データを自動更新する機能を持つ。また、参照先データの更新に伴って参照元データが更新されたときは、それら更新された参照先データおよび参照元データを表示装置１３に強調表示させる機能も有している。
【００１８】
これらデータ更新および強調表示機能は、データ更新部１１１、参照関係記憶部１１２、データ記憶部１１３、および表示指示部１１４によって実現されている。
【００１９】
データ更新部１１１は、更新情報発生装置１２から更新要求が入力されると、それを検出し、データ記憶部１１３中の該当するデータの値を更新する。この場合、データ更新部１１１は、更新要求されたデータを参照先データとして参照している参照元データを参照関係記憶部１１２が保持する参照関係情報より調べ、参照元データがあれば、データ記憶部１１３中に記憶されている更新対象データおよび参照元データを更新する。そして、データ更新部１１１は、更新した参照先および参照元データの集合を、表示指示部１１４に通知する。表示指示部１１４は、データ更新部１１１から通知された参照先データおよび参照元データについて強調表示する指示を表示装置１３に対して行う。
【００２０】
なお、参照関係を持つデータとは、あるデータＡをもとに別のデータＢの値が決定される時に参照関係があると言い、この場合のデータＡは参照先データ、データＢは参照元データと呼ぶ。
【００２１】
例えば、複数のデータＡ，Ｂ，Ｃについてそれらの和計算が可能で、データＣはデータＡとデータＢの和である場合、データＡ，Ｂは参照先データ、データＣは参照元データである。また別の例として、あるデータＡが特定の値の集合の中の１つの値をとり、データＡを参照先とするデータＢはデータＡの取り得るすべての値に対応した値が定義されている場合も参照関係がある。これらの情報は参照関係記憶部１１２に保持されている。
【００２２】
図１の情報表示装置１１は、計算機上で実行されるソフトウェアであるスプレッドシートプログラム中に組み込まれたプログラム、あるいはそのスプレッドシートが提供するマクロ等のプログラミング機能を使用したプログラムとして実現することができ、これを記憶媒体に記憶しておくことにより、ユーザがスプレッドシート中のあるセルの値を更新した場合に、それを参照する他のセルなどを強調表示することができる。
【００２３】
また、参照関係を持つ複数のデータを通信回線などから受信して表示する構成の携帯型の計算機においては、図１の情報表示装置１１の機能を記述したプログラムを作成し記憶媒体に記憶しておくことにより、通信回線を通して更新データを受信した場合に、その更新データを参照する他のデータを強調表示することができる。
【００２４】
以下、図１の各構成要素の機能について説明する。
更新情報発生装置１２は、ユーザからのキー入力や通信回線、ＦＭ文字放送等からの更新データ情報によって更新要求を発生するものであり、また表示装置１３は実際のデータを表示する装置であり、ディスプレイとそれを制御する表示制御装置などから構成される。
【００２５】
情報表示装置１１の各部の機能および動作を図１８のセルＢ６のデータが更新された場合を例にとって、図２〜図４を参照して説明する。
図２は参照関係記憶部１１２で保持している参照関係を示した図である。この参照関係は図１８のスプレッドシートのデータに対応するものであり、例えば、Ｂ８はＢ２〜Ｂ６を式１：＠ＳＵＭ（Ｂ２：Ｂ６）で参照している。データ記憶部１１３は図１８のスプレッドシート内の構造と同様であり、各セルの値を記憶している。
【００２６】
図３および図４はそれぞれデータ更新部１１１および表示指示部１１４の処理手順を示したフローチャートである。
データ更新部１１１は、更新情報発生装置１２から発生した更新情報から、セルＢ６のデータが更新されることを検出する（ステップＳ１１）。次いで、参照関係記憶部１１２より更新対象データを参照先とする参照元データを探し、セルＢ８およびセルＤ８のデータが参照元データであることを検出し（ステップＳ１２）、更新データ集合（セルＢ６，Ｂ８，Ｄ８）に対応したデータ記憶部１１３中のデータの値を参照関係記憶部１１２内の参照関係を元に更新する（ステップＳ１３）。その後、データ更新部１１１は、更新データ集合を表示指示部１１３に対して通知する（ステップＳ１４）。
【００２７】
表示指示部１１４は、データ更新部１１１から更新データ集合を獲得して（ステップＳ２１）、更新後の値をデータ記憶部１１３から読み出し（ステップＳ２２）、それらのデータを表示装置１３に対して強調表示するように指示する（ステップＳ２３）。
【００２８】
強調表示方法としては、点滅表示、色を変化させた表示、枠を付加した表示、下線を付加した表示、拡大した表示、別ウィンドウ上での表示、更新データの一覧の別ウィンドウでの表示のような指示を行う。このデータ更新に伴う強調表示の例を図５に示す。
【００２９】
図５では、上述の更新操作により、参照先データＢ６および参照元データＢ８，Ｄ８が更新され強調表示されている様子が示されている。
以上の処理により、更新要求された参照先データおよびそれを参照する参照元データを強調表示することができるが、参照元データが存在しない場合は、単に更新要求されたデータのみを強調表示してもよい。
【００３０】
なお、データ更新部１１１から表示指示部１１４に通知される更新データ集合を（（Ｂ６），（Ｂ８，Ｄ８））のように参照先データと参照元データと言う形で通知し、表示指示部１１４は参照先データと参照元データを異なる強調表示方法で指示することもできる。
【００３１】
以上説明したように、実施形態１の情報表示装置１１によれば、参照先データが更新されることにより参照元データが更新される時点で、それら更新された参照先データおよび参照元データが共に表示装置１３上で強調表示される。したがって、例えば携帯端末など、ユーザ自身の操作ではなく、外部から受けたデータによって自動的に参照先データが更新され、その更新に伴って参照元データの更新がなされる場合でも、それらデータについて、何時、どのようなデータ変更がなされたのかをユーザに知らせることが可能となる。
【００３２】
次に、この発明の第２実施形態について説明する。
図６には、この発明の第２実施形態に係る情報表示装置１１の機能構成が示されている。この情報表示装置１１には、図１の構成に加え、最も最近の更新において更新された更新データ集合の更新前の値を記録するデータ更新ログ記憶部１１５が設けられている。
【００３３】
データ更新部１１１は、データ更新の際に更新データ集合とそれを構成するそれぞれのデータの更新前の値をデータ更新ログ記憶部１１５に記録し、表示指示部１１４は更新データ集合の強調表示を指示する際に、各データについて、データ更新ログ記憶部１１５に記録された更新前の値とデータ記憶部１１３に記録された更新後の値を交互に表示するように表示装置１３に指示する。これにより、ユーザは更新されたデータの前後の値を容易に知ることができる。
【００３４】
以下、図７および図８を参照して情報表示装置１１の処理手順を説明する。図７および図８はそれぞれデータ更新部１１１、表示指示部１１４のフローチャートを示したものである。
【００３５】
ここでは、実施形態１と同様に、図１８のセルＢ６が更新された場合について説明する。
データ更新部１１１は、更新情報発生装置１２から発生した更新情報よりセルＢ６のデータが更新されることを検出する（ステップＳ３１）。次に、データ更新部１１１は、参照関係記憶部１１２より、更新要求されたデータを参照先とする参照元データを探し、セルＢ８およびセルＤ８のデータが参照元データであることを検出する（ステップＳ３２）。そして、データ更新部１１１は、検出した更新データ集合（セルＢ６，Ｂ８，Ｄ８）とそれを構成するデータそれぞれの更新前の値をデータ更新ログ記憶部１１５に記録する（ステップＳ３３）。
【００３６】
本例では（Ｂ６：２３４０，Ｂ８：１５７９４，Ｄ８：１２２９６）のようなデータがデータ更新ログ記憶部１１５に記録される。
その後、データ更新部１１１は、データ記憶部１１３中の更新データ集合それぞれそのデータの値を更新し（ステップＳ３４）、更新データ集合を表示指示部１１４に対して通知する（ステップＳ３５）。
【００３７】
表示指示部１１４は、データ更新部１１１から更新データ集合を獲得して（ステップＳ４１）、更新前の値をデータ更新ログ記憶部１１５から読み出し（ステップＳ４２）、更新後の値をデータ記憶部１１３から読み出す（ステップＳ４３）。その後、表示指示部１１４は、表示装置１３に対して、更新データ集合の各データについて更新前の値と更新後の値を交互に表示するように指示する（ステップＳ４４）。
【００３８】
次に、この発明の第３実施形態について説明する。
図９には、この発明の第３実施形態に係る情報表示装置１１の機能構成が示されている。この情報表示装置１１には、図１の構成に加え、過去の各更新毎に更新された更新データ集合それぞれのデータの更新前の値を記録する更新データ集合ログ記憶部１１６が設けられている。
【００３９】
図６に示した実施形態２のデータ更新ログ記憶部１１５では、最も最近の更新に関する更新データ集合についての更新前の値だけを記録するが、更新データ集合ログ記憶部１１６では過去に行われた複数の更新についての更新データ集合の更新前のデータの値を記録する点で異なる。
【００４０】
データ更新部１１１は、データ更新の度に更新データ集合とそれを構成するそれぞれのデータの更新前の値を更新データ集合ログ記憶部１１６に蓄積する。表示指示部１１４は過去の任意の更新Ｎについて、更新データ集合ログ記憶部１１６より更新データ集合とそれを構成するデータそれぞれの更新前の内容を読出し、更新Ｎ＋１までの更新前のデータ内容を表示して更新Ｎが行われた直後の表示状態に戻すと共に、更新Ｎで記録したデータ集合を強調表示する。これにより、ユーザは過去の任意の更新Ｎについて、その更新Ｎが行われた直後の表示状態と、その更新Ｎで更新されたデータ集合を容易に知ることができる。
【００４１】
以下、図１０〜図１２を参照して実施形態３の処理手順を説明する。
図１０は更新データ集合ログ記憶部１１６に記録される情報を示したものであり、過去の更新における更新データ集合とその更新データ集合の各データの更新前の値とが更新処理番号１〜Ｎにそれぞれに対応して記録されている。
【００４２】
図１１はデータ更新部１１１のデータ更新時の処理手順を示したフローチャート、図１２はユーザから過去の更新を指定された場合の表示指示部１１４の処理手順を示したフローチャートである。
【００４３】
データ更新部１１１は、データ更新時に実施形態１で示した図３のフローチャートの処理ステップＳ１１，Ｓ１２，Ｓ１３，Ｓ１４に相当するステップＳ５１，Ｓ５２，Ｓ５４，Ｓ５５の処理に加えて、参照先データおよび参照元データからなる更新データ集合とそれを構成するそれぞれのデータの更新前の値を更新データ集合ログ記憶部１１６に記憶するステップＳ５３を含む。
【００４４】
データ更新時の表示指示部１１４の処理は実施形態１で示した図４の処理と同様であり、表示指示部１１４は、図４のフローチャートに従って更新データ集合を強調表示するよう指示する。
【００４５】
また、ユーザから過去のＮ番目の更新の表示要求があった場合には、表示指示部１１４は、図１２に示すように、現在からＮ＋１番目までの更新ログを更新データ集合ログ記憶部１１６から読み出し（ステップＳ６１）、現在からＮ＋１番目の順番に各ログに記録されているデータについて更新前の値を表示するように指示する（ステップＳ６２）。これにより表示はＮ番目の更新が行われた後の表示になる。その後、表示指示部１１４は、Ｎ番目の更新ログを読み出し、読みだしたデータ集合を強調表示するように指示する（ステップＳ６３，Ｓ６４）。
【００４６】
なお、表示方法は実施形態１で示した更新後の値を強調表示する方法でもよいし、実施形態２で示した更新前後の値を交互に表示する方法でもよい。また、強調表示を解除するにはデータ記憶部１１３に記録されているデータの表示を指示すればよい。
【００４７】
次に、この発明の第４実施形態について説明する。
図１３には、この発明の第４実施形態に係る情報表示装置１１の機能構成が示されている。この情報表示装置１１には、図１に示した実施形態１の構成に加え、ユーザが指定するデータグループおよびその表示方法を記憶するデータグループ情報記憶部１１７が設けられている。
【００４８】
ユーザは、データグループ設定装置１４を通して、１つ以上のデータを１つのデータグループとして定義し、その表示を記号やグループ中の代表データ（以下アイコンと表す）で表示するように指定する。データグループ設定装置１４は、ユーザの指定したデータグループおよびその表示方法をデータグループ情報記憶部１１７に記録する。表示指示部１１４は、指定されたデータグループについてはユーザが指定した表示方法で表示指示し、ユーザによりアイコンが指定された場合はその構成メンバーを表示するように指示する。データ更新時には、更新対象のデータに対する参照元データが属しているデータグループは、そのアイコンを強調表示する。これにより、データのすべてが画面に表示できないような場合でも、それをデータグループによって表示することができ、またデータ更新が行われた場合もデータグループのアイコンが強調表示されるため、ユーザは参照元データの更新を容易に認識することができる。
【００４９】
以下、図１４〜図１６を参照して、実施形態４の処理手順を説明する。図１４はデータおよびデータグループの表示例、図１５は図１４の表示におけるデータグループ情報記憶部１１７の保持するテーブルの内容、図１６は表示指示部１１４の処理手順を示したフローチャートである。データ更新部は実施形態１と同様の処理を行う。
【００５０】
図１４において、Ａ１〜Ａ４，Ｃ１〜Ｃ５，Ｄ１〜Ｄ３はデータ、Ｂ１はデータＣ１〜Ｃ５からなるデータグループ、Ｂ２，Ｂ３，Ｂ４はそれぞれデータＤ１，Ｄ２，Ｄ３からなるデータグループである。データの参照関係はＡ１以外の全てのデータがＡ１を参照している。Ａ１は“良”か“悪”の値をとり、それ以外のデータはＡ１が“良”の場合と“悪”の場合に対応したデータを持つ。すなわち、Ａ１が変更されるとそれに伴って他の全てのデータが変化する。ここでは、データＡ１〜Ａ４およびデータグループＢ１〜Ｂ４を含む画面だけが表示されており、Ｃ１〜Ｃ５，Ｄ１〜Ｄ３のデータについては表示されてない。
【００５１】
また、図１５のデータグループ情報には、データグループＢ１はデータＣ１〜Ｃ５、Ｂ２はデータＤ１、Ｂ３はデータＤ２、Ｂ４はデータＤ４と言ったメンバー情報とその表示方法（アイコンの形態）が記録されている。
【００５２】
データＡ１が更新された場合、表示指示部１１４は更新データ集合をデータ更新部１１１より獲得し（ステップＳ７１）、更新後のデータをデータ記憶部１１３より読み出し（ステップＳ７２）、個々のデータについて、データグループに属するデータはそのアイコンを、そうでないデータは更新後のデータを強調表示する指示を出す処理を順次行う（ステップＳ７３〜Ｓ７６）。
【００５３】
すなわち、Ａ２〜Ａ４については更新後のデータの強調表示を指示し、Ｃ１〜Ｃ５，Ｄ１〜Ｄ３についてはそのデータグループのアイコンであるＢ１〜Ｂ４の強調表示を指示する。
【００５４】
また、表示指示部１１４は、強調表示を行っている間は、データ更新部１１１より獲得した更新データ集合を保持する。ユーザがアイコンを選択することにより、データグループの表示の指示を出した場合には、データグループの各データについて、更新データ集合に入っているものは強調表示を指示し、そうでないものは通常の表示の指示を行う。
【００５５】
なお、強調表示は実施形態１と同様に点滅表示等で表示してもよいし、実施形態２で述べたデータ更新ログ記憶部１１５を追加して、更新前後の値を交互に表示してもよい。また、実施形態３で述べた更新データ集合ログ記憶部１１６を追加して、過去の任意の更新の強調表示を可能にしてもよい。
【００５６】
次に、上述した各実施形態に使用される表示指示部１１４の変形例について説明する。
本例においては、強調表示指示を行った後、次のイベントが発生した時点で強調表示の解除が行われる。ここでいうイベントとは、一定時間の経過、ユーザからの強調表示解除要求、新たな更新要求、のいずれかあるいはそれらの任意の組み合わせである。これにより、強調表示を行った後の解除が可能になる。
【００５７】
図１７は本例における表示指示部１１４の処理手順を示したフローチャートである。実施形態１と同様に強調表示指示を出し（ステップＳ８１〜Ｓ８３）、その後、次のイベントを待機する（ステップＳ８４）。イベントが発生した時点で、表示指示部１１４、強調表示指示を出したデータについての強調表示解除を指示する（ステップＳ８５）。
【００５８】
【発明の効果】
以上説明したように、この発明によれば、あるデータが更新されることによって他のデータが更新される場合、そのデータ更新の発生をユーザに明示的に提示できるようになり、ユーザがデータ更新を容易に認識することが可能となる。
【図面の簡単な説明】
【図１】この発明の第１の実施形態に係る情報表示装置の構成を示すブロック図。
【図２】同実施形態１の情報表示装置に設けられた参照関係記憶部が保持する参照関係情報の例を示す図。
【図３】同実施形態１の情報表示装置に設けられたデータ更新部の処理手順を示すフローチャート。
【図４】同実施形態１の情報表示装置に設けられた表示指示部の処理手順を表すフローチャート。
【図５】同実施形態１の情報表示装置によって表示される表示画面例を示す図。
【図６】この発明の第２の実施形態に係る情報表示装置の構成を示すブロック図。
【図７】同実施形態２の情報表示装置に設けられたデータ更新部の処理手順を表すフローチャート。
【図８】同実施形態２の情報表示装置に設けられた表示指示部の処理手順を表すフローチャート。
【図９】この発明の第３の実施形態に係る情報表示装置の構成を示すブロック図。
【図１０】同実施形態３の情報表示装置に設けられた更新データ集合ログ記憶部に記録された内容を示す図。
【図１１】同実施形態３の情報表示装置に設けられたデータ更新部の処理手順を表すフローチャート。
【図１２】同実施形態３の情報表示装置に設けられた表示指示部の処理手順を表すフローチャート。
【図１３】この発明の第４の実施形態に係る情報表示装置の構成を示すブロック図。
【図１４】同実施形態４の情報表示装置による画面表示例を示す図。
【図１５】同実施形態４の情報表示装置におけるデータグループ情報の一例を示す図。
【図１６】同実施形態４の情報表示装置に設けられた表示指示部の処理手順を示すフローチャート。
【図１７】同実施形態４の情報表示装置に設けられた表示指示部の処理手順を示すフローチャート。
【図１８】従来のスプレッドシートの表示例を示す図。
【符号の説明】
１１…情報表示装置、１２…更新情報発生装置、１３…表示装置、１１１…データ更新部、１１２…参照関係記憶部、１１３…データ記憶部、１１４…表示指示部、１１５…データ更新ログ記憶部、１１６…更新データ集合ログ記憶部、１１７…データグループ情報記憶部。
【図１】
0003556346.tif 000002
【図２】
0003556346.tif 000003
【図３】
0003556346.tif 000004
【図４】
0003556346.tif 000005
【図５】
0003556346.tif 000006
【図６】
0003556346.tif 000007
【図７】
0003556346.tif 000008
【図８】
0003556346.tif 000009
【図９】
0003556346.tif 000010
【図１０】
0003556346.tif 000011
【図１１】
0003556346.tif 000012
【図１２】
0003556346.tif 000013
【図１３】
0003556346.tif 000014
【図１４】
0003556346.tif 000015
【図１５】
0003556346.tif 000016
【図１６】
0003556346.tif 000017
【図１７】
0003556346.tif 000018
【図１８】
0003556346.tif 000019